【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
ワイヤレスネットワーク内のステーションで指向性アンテナを操作する方法であって、
前記ステーション内のステーション管理エンティティ（ＳＭＥ）および物理（ＰＨＹ）層の外部で、前記ステーションによって前記ＰＨＹ層で受信した信号の少なくとも１つの信号品質メトリックに基づいて、前記ステーションに関連する指向性アンテナについてのアンテナビームパターンを選択すること、および
前記ワイヤレスネットワーク内の前記ステーションの外部のネットワーク装置と通信するために、前記指向性アンテナに前記選択したビームパターンを形成させること
を含むことを特徴とする方法。
【請求項２】
アンテナビームパターンを選択することは、メディアアクセス制御（ＭＡＣ）層で行われることを特徴とする請求項１に記載の方法。
【請求項３】
アンテナビームパターンを選択することは、メディアアクセス制御（ＭＡＣ）層と通信するプロセスによって実施されることを特徴とする請求項１に記載の方法。
【請求項４】
アンテナビームパターンを選択することは、前記ＳＭＥからの要求に応じて実施されることを特徴とする請求項１に記載の方法。
【請求項５】
前記アンテナビームパターンを選択することは、アンテナ探索プロセスの一部として複数のアンテナビームパターンを選択することを含むことを特徴とする請求項４に記載の方法。
【請求項６】
アンテナビームパターンを選択することは、ＭＡＣ層管理エンティティ（ＭＬＭＥ）に対するいくつかのＳＭＥ要求に応答して、最良のアンテナビームパターンを選択することを特徴とする請求項１に記載の方法。
【請求項７】
前記アンテナビームパターンを選択することは、利用可能な複数のアンテナビームパターンを順序付け、前記ＰＨＹ層が前記複数のアンテナビームパターンのそれぞれに関連するそれぞれの信号品質メトリックを計算することを可能にする方式で、前記指向性アンテナに前記アンテナビームパターンを形成させることを含むことを特徴とする請求項１に記載の方法。
【請求項８】
ＳＭＥからの「ｊｏｉｎ  ｒｅｑｕｅｓｔ」に応答して実行されることを特徴とする請求項１に記載の方法。
【請求項９】
前記ステーションと前記ネットワーク装置との間の通信経路を改善することができるかどうかを判定するために実行されることを特徴とする請求項１に記載の方法。
【請求項１０】
「ｒｅｓｅｔ  ｒｅｑｕｅｓｔ」、「ｓｔａｒｔ  ｒｅｑｕｅｓｔ」、または「ｓｃａｎ  ｒｅｑｕｅｓｔ」に応答して実行され、前記指向性アンテナのオムニパターンが自動的に選択されることを特徴とする請求項１に記載の方法。
【請求項１１】
前記少なくとも１つの信号品質メトリックの高さは、前記指向性アンテナのオムニパターンを選択するのに十分であるとみなされることを特徴とする請求項１に記載の方法。
【請求項１２】
選択されたアンテナビームパターンを前記指向性アンテナに形成させることは、ビーコンフレーム中に行われることを特徴とする請求項１に記載の方法。
【請求項１３】
前記ネットワーク装置にプローブ要求を送信し、前記プローブ要求に対する応答中に、前記指向性アンテナに前記選択されたアンテナビームパターンを形成させることをさらに含むことを特徴とする請求項１に記載の方法。
【請求項１４】
前記少なくとも１つのメトリックは、ビーコンフレームに応じて計算され、または前記ステーションから前記ネットワーク装置にプローブ要求を送信することに応答して、前記ネットワークノードから前記ステーションに送信されたプローブ応答フレームに応じて計算されることを特徴とする請求項１に記載の方法。
【請求項１５】
前記ワイヤレス装置はアクセスポイント（ＡＰ）であることを特徴とする請求項１に記載の方法。
【請求項１６】
８０２．１１ネットワークで動作することを特徴とする請求項１に記載の方法。
【請求項１７】
ワイヤレスネットワークで指向性アンテナを操作する装置であって、
ステーション内のステーション管理エンティティ（ＳＭＥ）および前記物理（ＰＨＹ）層の外部のセレクタであって、前記ステーションによって前記ＰＨＹ層で受信した信号の少なくとも１つの信号品質メトリックに基づいて、前記ステーションに関連する指向性アンテナについてのアンテナビームパターンを選択するセレクタと、
前記ワイヤレスネットワーク内のネットワーク装置と通信するために、前記指向性アンテナに前記選択したビームパターンを形成させるアンテナ制御ユニットと
を備えることを特徴とする装置。
【請求項１８】
前記セレクタはメディアアクセス制御（ＭＡＣ）層内にあることを特徴とする請求項１７に記載の装置。
【請求項１９】
前記セレクタはメディアアクセス制御（ＭＡＣ）層の外部にあることを特徴とする請求項１７に記載の装置。
【請求項２０】
前記セレクタは、前記ＳＭＥからの要求に応じて前記アンテナビームパターンを選択することを特徴とする請求項１７に記載の装置。
【請求項２１】
前記セレクタは、アンテナ探索プロセスの一部として複数のアンテナビームパターンを選択することを特徴とする請求項２０に記載の装置。
【請求項２２】
前記セレクタは、ＭＡＣ層管理エンティティ（ＭＬＭＥ）に対するいくつかのＳＭＥ要求に応答して、最良のアンテナビームパターンを選択することを特徴とする請求項１７に記載の装置。
【請求項２３】
前記セレクタは、利用可能な複数のアンテナビームパターンを順序付け、前記アンテナ制御ユニットは、前記ＰＨＹ層が前記複数のアンテナビームパターンのそれぞれに関連するそれぞれの信号品質メトリックを計算することを可能にする方式で、前記指向性アンテナに前記アンテナビームパターンを形成させることを特徴とする請求項１７に記載の装置。
【請求項２４】
前記セレクタは、ＳＭＥからの「ｊｏｉｎ  ｒｅｑｕｅｓｔ」に応答して前記アンテナビームパターンを選択することを特徴とする請求項１７に記載の装置。
【請求項２５】
前記ステーションと前記ネットワーク装置との間の通信経路を改善することができるかどうかを判定するためにアンテナ探索が実行されることを特徴とする請求項１７に記載の装置。
【請求項２６】
前記セレクタは、「ｒｅｓｅｔ  ｒｅｑｕｅｓｔ」、「ｓｔａｒｔ  ｒｅｑｕｅｓｔ」、または「ｓｃａｎ  ｒｅｑｕｅｓｔ」に応答してアンテナビームパターンを選択し、前記指向性アンテナのオムニパターンが自動的に選択されることを特徴とする請求項１７に記載の装置。
【請求項２７】
前記少なくとも１つの信号品質メトリックの高さは、前記指向性アンテナのオムニパターンを前記セレクタが選択するのに十分であるとみなされることを特徴とする請求項１７に記載の装置。
【請求項２８】
前記アンテナ制御ユニットは、ビーコンフレーム中に、前記指向性アンテナに前記選択されたアンテナビームパターンを形成させることを特徴とする請求項１７に記載の装置。
【請求項２９】
前記ステーションは、前記ネットワーク装置にプローブ要求を送信し、前記アンテナ制御ユニットは、前記プローブ要求に対する応答中に、前記指向性アンテナに前記選択されたアンテナビームパターンを形成させることを特徴とする請求項１７に記載の装置。
【請求項３０】
前記少なくとも１つのメトリックが、ビーコンフレームに応じて計算され、または前記ステーションから前記ネットワーク装置にプローブ要求を送信することに応答して、前記ネットワークノードから前記ステーションに送信されたプローブ応答フレームに応じて計算されることを特徴とする請求項１７に記載の装置。
【請求項３１】
前記ワイヤレス装置はアクセスポイント（ＡＰ）であることを特徴とする請求項１７に記載の装置。
【請求項３２】
８０２．１１ネットワークで動作することを特徴とする請求項１７に記載の装置。
【請求項３３】
ワイヤレスネットワークで指向性アンテナを操作する装置であって、
ステーション内のステーション管理エンティティ（ＳＭＥ）および物理（ＰＨＹ）層の外部で、前記ステーションによって前記ＰＨＹ層で受信した信号の少なくとも１つの信号品質メトリックに基づいて、前記ステーションに関連する指向性アンテナについてのアンテナビームパターンを選択する手段と、
前記ワイヤレスネットワーク内のネットワーク装置と通信するために、前記指向性アンテナに前記選択したビームパターンを形成させる手段と
を備えることを特徴とする装置。
【手続補正２】
【補正対象書類名】明細書
【補正対象項目名】００２２
【補正方法】変更
【補正の内容】
【００２２】
アンテナ探索中、第２ステーション１２０ｂは、アクセスポイント１１０からの信号を求めて、図２Ａおよび図２Ｂにより詳細に示す指向性アンテナを使用する。各ビーム位置では、第２ステーション１２０ｂは、受信したビーコンまたはプローブ応答を測定し、その指向性ビームについてのそれぞれのメトリックを計算する。メトリックの例には、受信信号強度（ＲＳＳＩ）、搬送波対干渉比（Ｃ／Ｉ）、信号対雑音比（ＳＮＲ）、ビット当りのエネルギー対全雑音（Ｅｂ／Ｎｏ）、または受信した信号または信号環境の品質のその他の適切な尺度が含まれる。メトリックに基づいて、第２ステーション１２０ｂは、ＳＭＥによって選択されるアクセスポイント１１０ａと通信するのに「最良の」方向を決定することができる。
【手続補正３】
【補正対象書類名】明細書
【補正対象項目名】００２３
【補正方法】変更
【補正の内容】
【００２３】
ビーム選択探索は、第２ステーション１２０ｂが分散システム１０５を認証し、分散システム１０５を関連付ける前または後で行うことができる。したがって、メディアアクセス制御（ＭＡＣ）層内で初期アンテナスキャンを実施することができる。同様に、第２ステーション１２０ｂが分散システム１０５を認証し、分散システム１０５を関連付けた後で行われるビーム選択探索をＭＡＣ内で実施することができる。